(57)【要約】【課題】    本発明の目的は、カラスによるごみ袋内の生ゴミの食い荒らしの改善を図ったゴミ保護ネットを提供するものである。【解決手段】    ゴミ保護ネット１は、集積所に出されるごみ袋２が散らからないようにごみ袋２を覆うゴミ保護ネット１であって、網地で形成されたネット本体１０を有し、このネット本体１０の網目の大きさが一辺２ｍｍ以下である。【選択図】図２
2015034075.tif 000002
【特許請求の範囲】
【請求項１】
集積所に出されるごみ袋が散らからないように前記ごみ袋を覆うゴミ保護ネットであって、
網地で形成されたネット本体を有し、
このネット本体の網目の大きさが一辺２ｍｍ以下である
ことを特徴とするゴミ保護ネット。
【請求項２】
集積所に出されるごみ袋が散らからないように前記ごみ袋を覆うゴミ保護ネットであって、
網地で形成されたネット本体を有し、
このネット本体はポリエチレンで形成され、前記ネット本体の網目の大きさは一辺２ｍｍ以下で、充実率が５０％〜８０％である
ことを特徴とするゴミ保護ネット。
を特徴とする請求項１記載の不用配管の埋没方法。
【発明の詳細な説明】
【技術分野】
【０００１】
本発明は、ゴミ保護ネットに係り、特に、カラスによるごみ袋内の生ゴミの食い荒らしの防止をより図ったゴミ保護ネットに関する。
【背景技術】
【０００２】
従来、例えば、カラス撃退ネットを集積されたゴミ袋に被せて、カラスによるごみ袋内の生ゴミの食い荒らしの防止を図っている（例えば、特許文献１参照）。
【先行技術文献】
【特許文献】
【０００３】
【特許文献１】特開２００５−２７２１４１号公報
【発明の概要】
【発明が解決しようとする課題】
【０００４】
ところが、上記カラス撃退ネットにあっては、縦横１５ｍｍ〜３０ｍｍの網目で形成されているため、該網目が大きく、カラスの爪が網目にかかり易く、しかも、カラスの嘴が網目を介して内部のごみ袋をつついて、ごみ袋内の生ゴミの食い荒らすという問題点が生じた。
【０００５】
本発明は、前記問題点を考慮したなされたゴミ保護ネットを提供することを目的とする。
【課題を解決するための手段】
【０００６】
請求項１記載のゴミ保護ネットは、集積所に出されるごみ袋が散らからないように前記ごみ袋を覆うゴミ保護ネットであって、網地で形成されたネット本体を有し、このネット本体の網目の大きさが一辺２ｍｍ以下である。
【０００７】
また、請求項２記載のゴミ保護ネットは、集積所に出されるごみ袋が散らからないように前記ごみ袋を覆うゴミ保護ネットであって、網地で形成されたネット本体を有し、このネット本体はポリエチレンで形成され、前記ネット本体の網目の大きさは一辺２ｍｍ以下で、充実率が５０％〜８０％である。
【発明の効果】
【０００８】
請求項１記載のゴミ保護ネットによれば、集積所に出されるごみ袋が散らからないように前記ごみ袋を覆うゴミ保護ネットであって、網地で形成されたネット本体を有し、このネット本体の網目の大きさが一辺２ｍｍ以下であるため、カラスの爪が網目にかかりにくく、また、カラスの嘴が網目を介して内部のごみ袋をつつきにくく、カラスによるごみ袋内の生ゴミの食い荒らしを防止することができる。
【０００９】
また、請求項２記載のゴミ保護ネットによれば、集積所に出されるごみ袋が散らからないように前記ごみ袋を覆うゴミ保護ネットであって、網地で形成されたネット本体を有し、このネット本体の網目の大きさが一辺２ｍｍ以下であるため、カラスの爪が網目にかかりにくく、また、カラスの嘴が網目を介して内部のごみ袋をつつきにくく、しかも、ネット本体はポリエチレンで形成されているため、カラスの爪が滑りやすく、カラスによるごみ袋内の生ゴミの食い荒らしを防止し、更に、ネット本体の充実率が５０％〜８０％であるため、ゴミ保護ネットで覆われたごみ袋等が外部より視認しにくく、ある程度、通気性もあり風を通して、臭いのこもりをも防止することができる。
【図面の簡単な説明】
【００１０】
【図１】図１は、本発明の一実施例のゴミ保護ネットを展開して示す概略的展開図である。
【図２】図２は、図１の一部を拡大して示す概略的一部拡大図である。
【図３】図３は、図２の３−３線による概略的断面図である。
【図４】図４は、図２の４−４線による概略的断面図である。
【図５】図５は、図２の５−５線による概略的断面図である。
【図６】図６は、図１のゴミ保護ネットの使用状態を示す概略的斜視図である。
【図７】図７は、図６のゴミ保護ネットの取っ手を掴んだ状態の概略的斜視図である。
【図８】図８は、図６のゴミ保護ネットと異なるゴミ保護ネットの使用状態を示す概略的図である。
【発明を実施するための形態】
【００１１】
本発明の一実施例のゴミ保護ネットを図面（図１乃至図７）を参照して説明する。
図１に示す１はゴミ保護ネットで、ゴミ保護ネット１は、集積所に出されるごみ袋２が散らからないようにごみ袋２を覆うものである。
【００１２】
ゴミ保護ネット１は、例えば、図１に示すように、一辺が２ｍ〜４ｍ×２ｍ〜４ｍの正方形状で、網地（網糸で連続的に綱目を構成したもの）で形成されたネット本体１０を有している。
ネット本体１０の中央には取っ手１０ａ（図１、図６、図７参照）が、周囲にはめくれないように比較的重い部材（例えば、重り入りロープ等）１０ｂ（図２乃至図５参照）が設けられている。
取っ手１０ａは、ゴミ保護ネット１の不使用時、図示しないフックに引っ掛けられて、ゴミ保護ネット１を垂直状にして、邪魔にならないようにすることができる。
【００１３】
網地は、ラッセル編みして形成したもので、例えば、ポリエチレンで形成され、詳しくは、ポリエチレン繊維のモノフィラメント糸で形成される。
ネット本体１０は、全体に亘って網目が形成され、該網目の大きさは一辺２ｍｍ以下で、充実率が５０％〜８０％となっている。
なお、充実率が５０％未満であると、カラスの嘴が通ったり、カラスに視認されやすくなる。また、カラスの爪が引っ掛かり易くなる。
また、充実率が８０％を超えると、ゴミ保護ネット１内にゴミの臭いがこもってしまう。
【００１４】
また、図２に示す１０ｃは鳩目で、鳩目１０ｃには、例えば、図８に示すように、重し１０ｃを取り付けて、ゴミ保護ネット１がカラスの嘴によりめくられないようにしても良い。
【００１５】
従って、上述したゴミ保護ネット１によれば、集積所に出されるごみ袋２が散らからないようにゴミ保護ネット１によりごみ袋２を覆えば、ゴミ保護ネット１は、網地で形成されたネット本体１０を有し、このネット本体１０の網目の大きさが一辺２ｍｍ以下であるため、カラスの爪が網目にかかりにくく、また、カラスの嘴が網目を介して内部のごみ袋２をつつきにくく、しかも、ネット本体１０はポリエチレンで形成されているため、カラスの爪が滑りやすく、カラスによるごみ袋１内の生ゴミの食い荒らしを防止し、更に、ネット本体１０の充実率が５０％〜８０％であるため、ゴミ保護ネット１で覆われたごみ袋２等が外部より視認しにくく、ある程度、通気性もあり風を通して、臭いのこもりをも防止することができる等の効果を有する。
【符号の説明】
【００１６】
１      ゴミ保護ネット
２      ごみ袋
１０    ネット本体
【図１】
2015034075.tif 000003
【図２】
2015034075.tif 000004
【図３】
2015034075.tif 000005
【図４】
2015034075.tif 000006
【図５】
2015034075.tif 000007
【図６】
2015034075.tif 000008
【図７】
2015034075.tif 000009
【図８】
2015034075.tif 000010